(57)【要約】【課題】表現が自在で安価に製作することができ、また美的完成度の高い立体絵画でありながら、視線の位置によって異なった絵柄を発現可能とした興趣性豊かな装飾用立体絵画を提供する。【解決手段】絵画本体１の絵柄の一部に固定された鏡面体１０，２０，３０，４０と、全体構図の中の一部分の絵柄が表示された別体の表示片１１，１２，２１，３１，３２，４２とにより、絵画本体１に立体表示部２，３，４，５を設けて成る装飾用の絵画であって、前記した表示片１１，１２，２１，３１，３２，４２を、所定の間隔を存して鏡面体１０，２０，３０，４０の前方に配置するとともに、鏡面体と相対する表示片の裏面部位に、表面の絵柄とは異なった絵柄を表示した構成とする。【選択図】    図１
2004249698.tif 000002
【特許請求の範囲】
【請求項１】
絵画本体の絵柄の一部に固定された鏡面体と、全体構図の中の一部分の絵柄が表示された別体の表示片とにより、絵画本体に立体表示部を設設けて成る装飾用の絵画であって、前記した表示片を、所定の間隔を存して鏡面体の前方に配置するとともに、鏡面体と相対する表示片の裏面部位に、表面の絵柄とは異なった絵柄を表示したことを特徴とする装飾用立体絵画。
【請求項２】
上記した表示片の前方に、同一状に形成された他の表示片を追加して配置するとともに、その新たな表示片の裏面に鏡面体を貼着したことを特徴とする請求項１に記載の装飾用立体絵画。
【請求項３】
上記した表示片の裏面に、表面の絵柄とは対称状の絵柄を表示したことを特徴とする請求項１または請求項２に記載の装飾用立体絵画。
【発明の詳細な説明】
【０００１】
【発明の属する技術分野】
本発明は、水彩絵、墨絵、切り絵、またはその他の様々な表現技法を用いて製作される立体絵画に係るものであり、さらに詳しくは、その絵画に鏡面体を組み込むことにより、絵画を正面から見た場合（これを正面視と称する）は通常の立体感を有する絵画であるが、斜め方向から見た場合（これを斜面視と称する）には、正面視では視認し得なかった別異状の絵柄や図柄、模様等（本発明では単に絵柄と称して説明する）が発現可能に構成された装飾用立体絵画に関するものである。
【０００２】
【従来の技術】
従来、ステンレス鋼板製の装飾品に鏡面加工を施し、立体感や視覚効果を高めるようにした金属製装飾品がある（例えば、特許文献１参照。）。また、通常では視認し難いような隠し絵を容易に視認できるように形成した装飾体がある（例えば、特許文献２参照。）。
【０００３】
【特許文献１】
特開平６−３０４８５７号公報（第２−４頁、図１）
【特許文献２】
特開２００１−３２８４００号公報（第３−６頁、図１７）
【０００４】
【発明が解決しようとする課題】
上記した特開平６−３０４８５７号公報で提案された金属製装飾品は、動物等の形状に型どった金属板の表面に加飾研磨を施すように構成されたもので、金属板を加工するための機械や熟練した技術が必要であるとともに、絵画の有する暖かさや表現の自在さに欠けるという問題点があり、また表現された形状のみが鑑賞の対象であって、作品の内部に別途な絵柄を隠し入れて、その絵柄を発見して楽しむというような興趣性が備わっていなかった。
【０００５】
また上記した特開２００１−３２８４００号公報の隠し絵を発現する装飾体は、柄シートに対しレンズシートを変位させ、レンズシートの複数のレンズにより隠し絵が目視できるように構成されているので、製作された装飾体に立体感が不足しているばかりでなく、美観面における完成度が低いという問題点があった。
【０００６】
そこで本発明は、表現が自在で安価に製作することができ、また美的完成度の高い立体絵画でありながら、視線の位置によって異なった絵柄を発現可能とした興趣性豊かな装飾用立体絵画の提供を目的とするものである。
【０００７】
【課題を解決するための手段】
上記の目的を達成するため、請求項１に記載の本発明は、絵画本体の絵柄の一部に固定された鏡面体と、全体構図の中の一部分の絵柄が表示された別体の表示片とにより、絵画本体に立体表示部を設けて成る装飾用の絵画であって、前記した表示片を、所定の間隔を存して鏡面体の前方に配置するとともに、鏡面体と相対する表示片の裏面部位に、表面の絵柄とは異なった絵柄を表示した構成としている。
【０００８】
また請求項２に記載の本発明は、上記した表示片の前方に、同一状に形成された他の表示片を追加して配置するとともに、その新たな表示片の裏面に鏡面体を貼着した構成としている。
【０００９】
さらに請求項３に記載の本発明は、上記した表示片の裏面に、表面の絵柄とは対称状の絵柄を表示した構成としている。
【００１０】
【発明の実施の形態】
本発明の実施の形態を図面に基づいて詳細に説明するが、まず本発明で使用する各構成材について説明する。絵画本体１は、水彩絵、墨絵、切り絵、その他の様々な表現技法を用いて製作されるものであるが、この絵画本体１を、先に本出願人が提案した特願２０００−３９１６２５号や特願２００１−６７７７９号のような布材とアルミニウム箔を重ねる技法で製作するようにすれば、作品に重厚感や華麗さを付与することができるので、極めて好適である。また本発明で使用される鏡面体としては、鏡面加工が施されたポリカーボネート板や、その他の適宜な鏡面材が使用されるものとし、さらに各種の表示片は、絵画本体１の全体構図の中の一部分として、その位置で表示されるべき絵柄を、色彩や形状がそのまま移行した状態で画用紙などに写し取り、それを切り抜いて形成されたものである。なお図１における矢印で示した符号２，３，４，５は、この部分のみが立体的に表現された立体表示部を指すものである。
【００１１】
以下に、図１における立体表示部２の部分と図２〜図４を参照しながら、本発明の第１実施形態について説明する。本実施形態は、例えばつつじのような背丈の低い樹木が表示された表示片１１と、例えば杉の木のような背丈の高い樹木が表示された表示片１２と、絵画本体１の絵柄の一部（この場合は家屋の窓部分）に固着された鏡面体１０から構成されるもので、正面視の場合には、鏡面体１０が表示片１２の背後に隠れた状態に表現されている。またここで使用される表示片１１は、図２（イ）で示すように、その裏面１１Ａに複数個の突部１４が突設されており、さらに表示片１２は、図２（ロ）で示すように、その裏面１２Ａに老婦人の絵柄が表示されるとともに、上下２個の突部１４が突設されている。なおこれらの突部１４と鏡面体１０および絵画本体１の前部に突設された突部１３（図３で示す）は、鏡面体１０と表示片１１，１２の間を離間させるために設けられた小形サイコロ状のものである。なおまた本実施形態においては表示片１１と表示片１２を分離させた形状となっているが、両表示片を一体化させて１枚の表示片とするようにしてもよい。
【００１２】
また図３は本実施形態における立体表示部２の構造を示す断面図である。この場合の鏡面体１０は、絵画本体１の絵柄における家屋の窓をくり抜き、その部分に嵌め込んで設けられたもので、嵌め込まれた鏡面体１０の後部に、裏当て紙１５が貼着されている。さらに表示片１１と表示片１２が、図示のように上下に連続して立設されるとともに、突部１３と突部１４同士を固着することにより、各表示片１１，１２を絵画本体１の前面に配置させた形態となっているのである。なおこれらの突部１３と突部１４を合わせた寸法（すなわち表示片１１，１２を鏡面体１０から離間させる距離）は、表示片１２の裏面１２Ａの隠し絵が鏡面体１０に写し出され、それを斜面視の状態で視認可能な程度の適宜な長さとするものとする。
【００１３】
以上のように構成された本発明の第１実施形態においては、絵画本体１を正面視した場合は図１で示すような絵柄となっているが、絵画本体１を斜面視した場合には、樹木の陰から窓が現われ、老婦人が窓の外を見ている絵柄を視認することができる。なお図４は窓の部分のみを現わし、樹木を省略して示している。
【００１４】
次に、図１における立体表示部３の部分と図５，図６を参照しながら、本発明の第２実施形態について説明する。本実施形態における表示片２１は、その表面に片手を挙げた少年の絵柄が表示されており、またその裏面には少年の後姿が表示されるとともに、裏面の上部と中間の２ヵ所に突部２３が突設されている。また絵画本体１において、少年が本来表示されるべき位置に貼着固定された鏡面体２０は、少年の絵柄の輪郭とほぼ同形状に切り抜いて形成されたものであり、その表面の３ヵ所には、前実施形態と同様な突部２２が突設されている。そして図５に示すように、表示片２１は、突部２２と突部２３を介して鏡面体２０の前方に配置されるのであるが、その下部のみは、少年の足が鏡面体２０に密着された状態となっているのである。
【００１５】
上述のように構成された本発明の第２実施形態においては、絵画本体１を正面視した場合は、図１の立体表示部３で示すように、犬と遊ぶ少年の絵柄となっているが、絵画本体１を斜面視した場合には、図６で示すように、少年が犬の好物の骨を隠し持っている絵柄を視認することができるのである。
【００１６】
続いて、図１における立体表示部４の部分と図７，図８を参照しながら、本発明の第３実施形態について説明する。本実施形態においては、図１および図７に示すように、池の下方に群生する草を表示した表示片３１と、池の上方に群生する草を表示した表示片３２が、池を模して貼着固定された鏡面体３０の上下に、別体の重合片３３を介して配置されたものである。この場合には、表示片３１の裏面に魚や藻などが表示されており、また表示片３２の上部が垂れ下がるように設けられているので、絵画本体１を斜面視した場合には、図８に示すように、池の中に魚が泳いでいて、周囲に群生する草の一部が水面に写っているような絵柄を視認することができるのである。
【００１７】
さらに、図１における立体表示部５の部分と図９〜図１２を参照しながら、本発明の第４実施形態について説明するが、本実施形態においては、少女を表示した表示片４２と４３を、１枚または２枚使用するものである。この両表示片において、図９（イ）および（ロ）に示すように、表示片４２と表示片４３の表面には全く同一の少女が表示されているが、その両表示片の裏面は、図１０（イ）および（ロ）に示すように、一方の表示片の裏面４２Ａには表面と対称状に描かれた少女が表示され、また他方の表示片の裏面４３Ａには鏡面体４１が貼着固定されていて、どちらの表示片にも適宜な数の突部４４が突設されているのである。また絵画本体１に貼着固定された鏡面体４０は、少女の絵柄の輪郭とほぼ同形状で、且つ表示片４２または４３よりもやや幅広状に切り抜いて形成されており、上記した各実施形態の場合と同様に、図示しない突部が突設されている。
【００１８】
上記のように作成した表示片４２を、図５に示したような状態で鏡面体４０の前方に配置した場合に、正面視で見える少女は１人であるが、視線の角度を変えて見ると、図１１のように、表示片４２の表側の少女と鏡面体４０に写し出された裏側の少女が、前後に並んだ状態で視認することができる。また表示片４３を表示片４２のさらに前方に配置した場合には、正面視で見える少女は１人であるが、視線の角度を変えて見ると、図１２のように、表示片４３の表側の少女、表示片４２の表側の少女、表示片４２の裏側の少女、鏡面体４１に写った表示片４２の表側の少女という順序で、４人の少女が一列に並んだ状態で視認することができる。なお図示しないが、数枚の表示片を、間隔を置いて鏡面体の前方に配置するようにしても差し支えない。
【００１９】
本発明は、以上に詳述した４種類の実施形態を提案するものであるが、１枚の絵画でこれら４種類の実施形態をすべて実施する必要はなく、いずれか１種類の実施形態のみを選択したり、絵画の構図に応じて２種類または３種類を組み合わせることも可能である。また表示片と鏡面体の間に距離を設ける方法としては、本発明では突部を差し渡すように構成しているが、突部以外の様々な公知の手法を用いてもよいことは勿論である。さらに絵柄の一部や表示片に鏡面体を固定する場合に、接着剤を用いて貼着するようにするのが最良であるが、例えば絵画本体に切り込みを入れ、その切り込みに鏡面体の隅部を差し入れたり、金属製の鏡面体を磁石によって吸着させるなどの他の手段を利用するようにしても差し支えない。
【００２０】
【発明の効果】
本発明の装飾用立体絵画は、絵画に立体感を付与すると同時に、絵画を見る視線の角度や方向によって、隠し絵を発現させたり絵柄を変化させたりすることができるので、非常に興趣性に富んだ絵画を提供することができるという著しい効果があり、特に幼児の情操教育用絵画として有意義に活用することができるという利点がある。また本発明は、水彩絵、墨絵、切り絵、その他の様々な表現技法の絵画に容易に採用することができるので、イメージの幅を広げることができるとともに、絵画としての美的完成度を阻害することがないという長所がある。さらに本発明の立体絵画は、高価な機材や熟練した技術を必要としないので、誰でも容易に創作することができるという極めて顕著な特長がある。
【図面の簡単な説明】
【図１】本発明の装飾用立体絵画を示す正面図である。
【図２】（イ）および（ロ）は、第１実施形態で使用する表示片の裏面図である。
【図３】第１実施形態の側面断面図である。
【図４】第１実施形態の鏡面体における視認状態を示す説明図である。
【図５】第２実施形態の側面断面図である。
【図６】第２実施形態の鏡面体における視認状態を示す説明図である。
【図７】第３実施形態の側面断面図である。
【図８】第３実施形態の鏡面体における視認状態を示す説明図である。
【図９】（イ）および（ロ）は、第４実施形態で使用する表示片の表面図である。
【図１０】（イ）および（ロ）は、第４実施形態で使用する表示片の裏面図である。
【図１１】第４実施形態の鏡面体における視認状態を示す説明図である。
【図１２】第４実施形態の鏡面体における他の視認状態を示す説明図である。
【符号の説明】
１  絵画本体
２，３，４，５  立体表示部
１０，２０，３０，４０，４１  鏡面体
１１，１２，２１，３１，３２，４２，４３  表示片
１３，１４，２２，２３，４４  突部
【図１】
2004249698.tif 000003
【図２】
2004249698.tif 000004
【図３】
2004249698.tif 000005
【図４】
2004249698.tif 000006
【図５】
2004249698.tif 000007
【図６】
2004249698.tif 000008
【図７】
2004249698.tif 000009
【図８】
2004249698.tif 000010
【図９】
2004249698.tif 000011
【図１０】
2004249698.tif 000012
【図１１】
2004249698.tif 000013
【図１２】
2004249698.tif 000014